(57)【要約】【課題】キャビテーションに起因する異音の発生を抑制することのできる液体封入式防振装置を提供する。【解決手段】荷重の入力に伴って内圧が変化する受圧室１５ａと、可撓性膜が変形することにより容積変化が許容される平衡室１５ｂとを連通するオリフィス通路１７とを備えたエンジンマウントにおいて、受圧室１５ａの内圧上昇に伴い受圧室１５ａ側から平衡室１５ｂ側に向かってオリフィス通路１７を流動する液体の流速が所定流速以上になるときに、オリフィス通路１７を通じた液体の流動を制限する弁２０を設ける。【選択図】図３
2008248967.tif 000002
【特許請求の範囲】
【請求項１】
振動源及び支持体に取り付けられる一対の取付部を連結する弾性部材と、同弾性部材と可撓性膜とによって区画形成され液体が封入された液室と、同液室を前記一対の取付部の相対変位により生じる前記弾性部材の変形に伴って内圧が変化する受圧室と前記可撓性膜が変形することにより容積変化が許容される平衡室とに区画する区画部材と、前記受圧室と前記平衡室とを連通するオリフィス通路とを備えた液体封入式防振装置において、
前記受圧室の内圧上昇に伴い前記受圧室から前記平衡室に向かって前記オリフィス通路を流動する液体の流速が所定流速以上になるときに、同オリフィス通路を通じた液体の流動を制限する弁を備える
ことを特徴とする液体封入式防振装置。
【請求項２】
請求項１に記載の液体封入式防振装置において、
前記弁は、前記受圧室から前記平衡室に向かって前記オリフィス通路を流れる液体の流速が所定流速以上になったときに、同オリフィス通路を閉塞して液体の流動を禁止する
ことを特徴とする液体封入式防振装置。
【請求項３】
請求項１又は請求項２に記載の液体封入式防振装置において、
前記弁は、前記オリフィス通路内に突出するように形成された当接部と、同オリフィス通路内における同当接部から液体の流動方向における受圧室側に離間した部位に同オリフィス通路内に突出するように弾性材料によって形成された舌片状の弁体とからなり、同オリフィス通路を受圧室から平衡室に向かって流動する液体の流速が所定流速以上になったときに弾性変形した前記弁体が前記当接部に当接することにより、同オリフィス通路の通路断面積を減少させて液体の流動を制限する
ことを特徴とする液体封入式防振装置。
【請求項４】
請求項１又は請求項２に記載の液体封入式防振装置において、
前記弁は、前記受圧室内における前記オリフィス通路の受圧室側開口近傍に同受圧室側開口と対向するように弾性材料によって板状に形成される弁体からなり、前記受圧室の内圧上昇に伴って前記受圧室側開口を通じて前記オリフィス通路に流入する液体の流速が所定流速以上になったときに前記受圧室側開口を覆うように弾性変形することにより前記オリフィス通路の通路断面積を減少させて液体の流動を制限する
ことを特徴とする液体封入式防振装置。
【請求項５】
請求項１に記載の液体封入式防振装置において、
前記弁は、前記受圧室内に配設される第１の受圧部と前記オリフィス通路内に配設される第２の受圧部とを有し、前記受圧室と前記オリフィス通路とを区画する隔壁を貫通してこれら第１及び第２の受圧部を連結するとともに前記オリフィス通路内に突出するように変位して前記オリフィス通路の通路断面積を変更可能な弁体と、同弁体を同オリフィス通路の通路断面積が大きくなる方向に付勢する付勢部材とを備えてなる
ことを特徴とする液体封入式防振装置。
【請求項６】
エンジンを車体に支持する自動車用のエンジンマウントとして適用される
請求項１〜５のいずれか一項に記載の液体封入式防振装置。
【発明の詳細な説明】
【技術分野】
【０００１】
本発明は、２つの液室をオリフィス通路によって接続し、液体がオリフィス通路を流動する際の流路抵抗を利用して防振効果を得る液体封入式防振装置に関し、特に自動車用のエンジンマウント等に用いられる液体封入式防振装置に関するものである。
【背景技術】
【０００２】
こうした液体封入式防振装置を自動車用のエンジンマウントとして適用したものが特許文献１に記載されている。特許文献１に記載されたエンジンマウントは、図９に示されるように車体、エンジンにそれぞれ取り付けられる一対の取付部１，２をゴム等の弾性材料からなる弾性部材３によって連結することにより、マウント本体４が形成されている。更に、同マウント本体４には、可撓性膜５が設けられて弾性部材３の凹部３ａとこの可撓性膜５との間に液室６が形成されるとともに、区画部材７によってこの液室６が弾性部材３側の受圧室６ａと可撓性膜５側の平衡室６ｂとに区画されている。また、区画部材７の周囲には区画部材７を囲むように延びる通路が区画形成されている。この通路は、受圧室側開口７ａを介して受圧室６ａに接続されるとともに、平衡室側開口７ｂを介して平衡室６ｂに接続されることにより、受圧室６ａと平衡室６ｂとを連通するオリフィス通路８を構成している。そして、これら受圧室６ａ、平衡室６ｂ及びオリフィス通路８には、エチレングリコール等の非圧縮性の液体が封入されている。
【０００３】
こうしたエンジンマウントによれば、振動が入力されて弾性部材３が変形するのに伴って受圧室６ａの容積が変化すると、オリフィス通路８を通じて液体が流動するようになる。その結果、液体がオリフィス通路８を流動する際に生じる流路抵抗によって振動を減衰させ、弾性部材３の弾性変形だけでは得られない防振効果を得ることができるようになる。
【特許文献１】特開２００１‐５０３３３号公報
【発明の開示】
【発明が解決しようとする課題】
【０００４】
ところで、こうした自動車用のエンジンマウントにおいては、路面の段差を乗り越えたとき等、瞬間的に大きな荷重が入力されたときに異音が発生することがある。このような異音は、瞬間的な荷重の入力に伴う受圧室６ａの急速な容積変化に対し、オリフィス通路８を通じた各液室６ａ，６ｂ間における液体の流動が追従できないことに起因して発生するものである。より詳細には、容積が増大する方向に受圧室６ａが変形するときに、受圧室６ａの単位時間あたりの容積変化量に対して、オリフィス通路８を通じて受圧室６ａへと流入する液体の流入量が相対的に小さくなることに起因して発生するものである。
【０００５】
このように受圧室６ａへの液体の単位時間あたりの流入量が容積変化量に対して相対的に小さくなると、受圧室６ａ内に過大な負圧が生じるようになってキャビテーションが発生するようになる。そして、そのキャビテーションによって生じた気泡が崩壊、消滅する際の衝撃によって異音が発生すると考えられている。
【０００６】
更にこの点について、本願発明者らは、こうしたエンジンマウントに瞬間的に大きな荷重が入力された場合、まず受圧室６ａの容積が減少した後にその容積が増大し始めるようになるが、このように受圧室６ａの容積が増大し始めても、オリフィス通路８内における液体の流動方向は直ぐには逆転せず、その慣性力によって受圧室６ａから平衡室６ｂに向かって流れ続けており、これがキャビテーションを誘発する受圧室６ａの負圧増大を助長していることを実験により確認した。
【０００７】
尚、こうした課題は自動車のエンジンマウントに限らず、区画部材で仕切られた受圧室と平衡室とをオリフィス通路によって接続した液体封入式防振装置にあっては、概ね共通するものである。
【０００８】
この発明は、この知見に基づいてなされたものであり、その目的は、液体封入式防振装置において、キャビテーションに起因する異音の発生を抑制することのできる液体封入式防振装置を提供することにある。
【課題を解決するための手段】
【０００９】
以下、上記目的を達成するための手段及びその作用効果について記載する。
請求項１に記載の発明は、振動源及び支持体に取り付けられる一対の取付部を連結する弾性部材と、同弾性部材と可撓性膜とによって区画形成され液体が封入された液室と、同液室を前記一対の取付部の相対変位により生じる前記弾性部材の変形に伴って内圧が変化する受圧室と前記可撓性膜が変形することにより容積変化が許容される平衡室とに区画する区画部材と、前記受圧室と前記平衡室とを連通するオリフィス通路とを備えた液体封入式防振装置において、前記受圧室の内圧上昇に伴い前記受圧室から前記平衡室に向かって前記オリフィス通路を流動する液体の流速が所定流速以上になるときに、同オリフィス通路を通じた液体の流動を制限する弁を備えることをその要旨とする。
【００１０】
防振装置本体に瞬間的に大きな荷重が入力されたときには、急激に受圧室の容積が変化してその内圧が大きく変動するため、その内圧の変動に伴ってオリフィス通路を流れる液体の流速が非常に速くなる。そこで、上記請求項１に記載の発明にあっては、受圧室から平衡室に向かってオリフィス通路を流れる液体の流速が所定流速以上になったときに、オリフィス通路を通じた液体の流動を制限する弁を設けるようにしている。これにより、瞬間的に大きな荷重が入力されるのに伴って受圧室の容積が急激に減少するときには、受圧室から平衡室に向かって流れる液体の流動が制限されるようになる。そのため、そのあと、受圧室の容積が増大するときにオリフィス通路内の液体に作用する慣性力が小さくなり、オリフィス通路内の液体が速やかに受圧室に向かって流動するようになる。その結果、瞬間的に大きな荷重が入力されたときに受圧室内に発生する負圧を小さくすることができるようになり、キャビテーションに起因する異音の発生を抑制することができるようになる。
【００１１】
一方、防振装置本体に入力される荷重が比較的小さい場合、換言すれば受圧室から平衡室へと向かって流れる液体の流速が所定流速未満である場合には、こうした制限が行われないため、オリフィス通路の流路抵抗によって得られる防振装置の防振機能を極端に低下させることもない。
【００１２】
尚、上記所定流速、即ち液体の流動を制限する際の流速値については、受圧室内にキャビテーションが発生するような急激な圧力変動が生じるときの液体の流速に基づいてこれを設定する。
【００１３】
請求項２に記載の発明は、請求項１に記載の液体封入式防振装置において、前記弁は、前記受圧室から前記平衡室に向かって前記オリフィス通路を流れる液体の流速が所定流速以上になったときに、同オリフィス通路を閉塞して液体の流動を禁止することをその要旨とする。
【００１４】
受圧室から平衡室に向かってオリフィス通路を流れる液体の流動を制限する具体的な態様としては、オリフィス通路の通路断面積を減少させて液体の流量を減少させるものの他、請求項２に記載の発明によるように、受圧室から平衡室に向かってオリフィス通路を流れる液体の流速が所定流速以上になったときに、オリフィス通路を閉塞、即ちオリフィス通路の通路断面積を「０」にして液体の流動を禁止するものも含まれる。因みに、受圧室に発生する負圧を極力小さくしてキャビテーションに起因する異音の発生を抑制する上では、液体の流速を極力小さくする、即ち請求項２に記載の発明によるようにその流動を禁止することが望ましい。
【００１５】
請求項３に記載の発明は、請求項１又は請求項２に記載の液体封入式防振装置において、前記弁は、前記オリフィス通路内に突出するように形成された当接部と、同オリフィス通路内における同当接部から液体の流動方向における受圧室側に離間した部位に同オリフィス通路内に突出するように弾性材料によって形成された舌片状の弁体とからなり、同オリフィス通路を受圧室から平衡室に向かって流動する液体の流速が所定流速以上になったときに弾性変形した前記弁体が前記当接部に当接することにより、同オリフィス通路の通路断面積を減少させて液体の流動を制限することをその要旨とする。
【００１６】
具体的には、請求項３に記載の発明によるように、弾性材料によって形成されてオリフィス通路内に突出して設けられる舌片状の弁体と、液体の流速が大きくなるのに伴って弾性変形した同弁体が当接するようにオリフィス通路内に突出して形成される当接部とによって弁を形成するといった構成を採用することができる。こうした構成によれば、オリフィス通路内を受圧室から平衡室に向かって流動する液体の流速が大きくなるのに伴って弾性変形する弁体が当接部に当接することにより、オリフィス通路の通路断面積を減少させて液体の流動を制限することができるようになる。
【００１７】
請求項４に記載の発明は、請求項１又は請求項２に記載の液体封入式防振装置において、前記弁は、前記受圧室内における前記オリフィス通路の受圧室側開口近傍に同受圧室側開口と対向するように弾性材料によって板状に形成される弁体からなり、前記受圧室の内圧上昇に伴って前記受圧室側開口を通じて前記オリフィス通路に流入する液体の流速が所定流速以上になったときに前記受圧室側開口を覆うように弾性変形することにより前記オリフィス通路の通路断面積を減少させて液体の流動を制限することをその要旨とする。
【００１８】
また、請求項４に記載の発明によるように、受圧室内におけるオリフィス通路の受圧室側開口近傍に同受圧室側開口と対向するように弾性部材によって板状に形成された弁体を設けるといった構成を採用することもできる。こうした構成によれば、オリフィス通路の受圧室側開口と対向するように形成された弁体は、同弁体と受圧室側開口との隙間を流れてこの受圧室側開口を通じてオリフィス通路に流入する液体の流速が速くなるのに伴って、この受圧室側開口に引き寄せられるように弾性変形する。そのため、受圧室側開口に流入する液体の流速が弁体が弾性変形し始める所定流速以上になると、オリフィス通路内の液体の流動が制限されるようになる。このように上記請求項４に記載の構成によれば、受圧室から平衡室に向かってオリフィス通路を流れる液体の流速が所定流速以上になったときに、オリフィス通路の通路断面積を減少させて液体の流動を制限することができるようになる。
【００１９】
請求項５に記載の発明は、請求項１に記載の液体封入式防振装置において、前記弁は、前記受圧室内に配設される第１の受圧部と前記オリフィス通路内に配設される第２の受圧部とを有し、前記受圧室と前記オリフィス通路とを区画する隔壁を貫通してこれら第１及び第２の受圧部を連結するとともに前記オリフィス通路内に突出するように変位して前記オリフィス通路の通路断面積を変更可能な弁体と、同弁体を同オリフィス通路の通路断面積が大きくなる方向に付勢する付勢部材とを備えてなることをその要旨とする。
【００２０】
防振装置本体に瞬間的に大きな荷重が作用して受圧室の容積が減少する方向に変形すると、受圧室の内圧は急激に上昇する。またこのとき、受圧室の圧力上昇に伴ってオリフィス通路内を流れる液体の流速は速くなる。オリフィス通路内の圧力はこの流速が速くなるほど小さくなるため、弁体の第２の受圧部に作用する圧力はこの流速が速くなるほど小さくなる。これにより、受圧室の圧力上昇に伴って、この圧力と、受圧室の内圧によって弁体の第１の受圧部に作用する圧力との圧力差は大きくなる。そして、この圧力差によって弁体に作用する力が付勢部材の付勢力よりも大きくなると、弁体はオリフィス通路側に変位してオリフィス通路の通路断面積を減少させるようになる。このため上記請求項５に記載の発明によれば、受圧室の内圧上昇に伴ってオリフィス通路内を流動する液体の流速が所定流速以上になるときに、その流動を制限することができるようになる。従って、こうした構成を採用することにより、受圧室の容積が増大し始めたときにオリフィス通路内の液体に作用する慣性力を小さくして受圧室内に発生する負圧を小さくすることができ、キャビテーションに起因する異音の発生を抑制することができるようになる。
【００２１】
請求項６に記載の発明は、請求項１〜５のいずれか一項に記載の液体封入式防振装置であって、エンジンを車体に支持する自動車用のエンジンマウントとして適用されることをその要旨とする。
【００２２】
自動車用のエンジンマウントにあっては、路面の段差を乗り越えたとき等のように瞬間的に大きな荷重が入力されたときに異音が発生することがある。また、特に静粛性を要求される自動車にあっては、こうした異音の発生を抑制することが要求される。そこで、請求項６に記載の発明によるように、請求項１〜５のいずれか一項に記載の液体封入式防振装置をエンジンを車体に支持する自動車用エンジンマウントとして適用することにより、こうした異音の発生を好適に抑制することができる。
【発明を実施するための最良の形態】
【００２３】
（第１の実施形態）
以下、この発明にかかる液体封入式防振装置を、エンジンを車体に支持する自動車用エンジンマウントに具体化した第１の実施形態について、図１〜図４を参照して説明する。
【００２４】
図１は、本実施形態にかかるエンジンマウントの断面構造を示している。図１に示されるように、このエンジンマウントのマウント本体１０は車体に固定される車体側取付部材１１と、エンジンに連結されるエンジン側取付部材１２とを弾性部材１３を介して連結することにより形成されている。
【００２５】
車体側取付部材１１は、ボルト５０によって車体と連結される底部材１１ａと、円筒部材１１ｂとからなり、図１に示されるようにこれら底部材１１ａと円筒部材１１ｂとをかしめ加工によって一体に連結することにより有底円筒状に形成されている。円筒部材１１ｂの内周面は、ゴム等の弾性材料によって形成された有底円筒状の弾性部材１３の外周面と加硫接着されている。そして、弾性部材１３の上端部には、エンジンを連結するボルト５１及び位置決め用のピン５２が取り付けられた円盤状のエンジン側取付部材１２が加硫接着されている。
【００２６】
こうして形成されたマウント本体１０は、図１に示されるようにその内部に弾性部材１３の内周面と車体側取付部材１１の内周面とによって区画された空間を有している。また、底部材１１ａと円筒部材１１ｂとの間には、この空間を仕切る可撓性膜１４及び区画部材１６が挟持されている。可撓性膜１４は、ゴム等の変形容易な素材によって形成されており、十分に撓んだ状態で底部材１１ａと円筒部材１１ｂとの間に挟み込まれている。この可撓性膜１４と弾性部材１３の内周面とによって区画された空間には、エチレングリコール等の非圧縮性の液体が封入され、液室１５が形成されている。そして、この液室１５は、図１に示されるように区画部材１６によって弾性部材１３側の受圧室１５ａと可撓性膜１４側の平衡室１５ｂとに区画されている。
【００２７】
尚、区画部材１６は、受圧室１５ａ側に突出したハット形状をなす外周側ハット部材１６ａと、外周側ハット部材１６ａよりも小径の内周側ハット部材１６ｂとを重ね合わせることにより形成されている。そして、図１に示されるように外周側ハット部材１６ａと内周側ハット部材１６ｂとの間には、区画部材１６の周方向に延びるオリフィス通路１７が形成されている。このオリフィス通路１７は、外周側ハット部材１６ａに形成された受圧室側開口１６ｃを通じて受圧室１５ａに接続されるとともに、内周側ハット部材１６ｂに形成された平衡室側開口１６ｄを通じて平衡室１５ｂに接続されている。こうして受圧室１５ａと平衡室１５ｂは、このオリフィス通路１７を通じて互いに接続されている。
【００２８】
このようにオリフィス通路１７によって受圧室１５ａと平衡室１５ｂとを互いに接続したこのエンジンマウントにあっては、荷重の入力に伴って車体側取付部材１１とエンジン側取付部材１２との間に相対変位が生じ、受圧室１５ａの容積Ｃが変化すると、オリフィス通路１７を通じて液体が流動するようになる。そのため、オリフィス通路１７の流路抵抗によって振動を減衰させることができるようになり、弾性部材１３の弾性変形のみでは得られない防振効果を得ることができる。
【００２９】
ところで、こうしたエンジンマウントにおいては、路面の段差を乗り越えたとき等、瞬間的に大きな荷重が入力されたときに異音が発生することがある。このような異音は、瞬間的な荷重の入力に伴って容積Ｃが増大する方向に受圧室１５ａが変形するときに、受圧室１５ａの単位時間あたりの容積変化量に対して、オリフィス通路１７を通じて受圧室１５ａへと流入する液体の流入量が相対的に小さくなることに起因して発生するものである。このように受圧室１５ａへの液体の単位時間あたりの流入量が容積変化量に対して相対的に小さくなると、受圧室１５ａ内に過大な負圧が生じてキャビテーションが発生するようになる。そして、そのキャビテーションによって生じた気泡が崩壊、消滅する際の衝撃によって異音が発生する。
【００３０】
更に本願発明者らは、こうしたエンジンマウントに瞬間的に大きな荷重が入力された場合には、まず受圧室１５ａの容積Ｃが減少した後に、その容積Ｃが増大し始めるようになるが、受圧室１５ａの容積Ｃが増大し始めても、オリフィス通路１７内における液体の流動方向は直ぐには逆転せず、その慣性力によって受圧室１５ａから平衡室１５ｂに向かって流れ続けていることを実験により確認した。
【００３１】
以下、こうした受圧室１５ａの容積Ｃの変化に対するオリフィス通路１７内の液体変位ｄの遅れについて図２（ａ），（ｂ）を参照して詳しく説明する。ここで、図２（ａ），（ｂ）は受圧室１５ａの容積Ｃの変化とオリフィス通路１７内の液体変位ｄとの関係を示すタイムチャートであり、図２（ａ）は比較的振幅の小さな振動が入力された場合、図２（ｂ）は比較的振幅の大きな振動が入力された場合におけるこれらの関係を示している。尚、図２（ａ），（ｂ）では、オリフィス通路１７内の液体変位ｄについて、平衡室１５ｂから受圧室１５ａに向かって液体が流れる方向を「＋」方向、受圧室１５ａから平衡室１５ｂに向かって液体が流れる方向を「−」方向として示している。
【００３２】
図２（ａ）に示されるように比較的振幅の小さな振動が入力された場合には、オリフィス通路１７内の液体は受圧室１５ａの容積Ｃの変化に追従してあまり遅れずに変位する。そのため、減少していた受圧室１５ａの容積Ｃが時刻ｔ１において増大し始めると、時刻ｔ２においてオリフィス通路１７内の液体変位ｄが「−」方向から「＋」方向へと変化する。即ち、受圧室１５ａの容積Ｃが増大し始めると直ぐにオリフィス通路１７内の液体の流動方向は逆転し、平衡室１５ｂから受圧室１５ａに向かって流動するようになる。
【００３３】
一方、図２（ｂ）に示されるように比較的振幅の大きな振動が入力された場合、即ち瞬間的に大きな荷重が入力された場合には、オリフィス通路１７の流路抵抗の影響により、オリフィス通路１７内の液体は、受圧室１５ａの容積Ｃの変化に対して大きく遅れて変位する。そのため、荷重の入力に伴って減少していた受圧室１５ａの容積Ｃが時刻ｔ１において増大し始めた後も、オリフィス通路１７内の液体は時刻ｔ３まで「−」方向に変位している。即ち、受圧室１５ａの容積Ｃが増大し始めた後も、時刻ｔ１から時刻ｔ３までの間はオリフィス通路１７内の液体の流動方向が逆転せずに、受圧室１５ａから平衡室１５ｂに向かって流動している。
【００３４】
このように受圧室１５ａの容積Ｃが増大しているときに、オリフィス通路１７内の液体が受圧室１５ａから平衡室１５ｂに向かって流動していると、受圧室１５ａ内に過大な負圧が生じやすくなり、それに伴ってキャビテーションが発生しやすくなる。その結果、キャビテーションに起因する異音の発生が助長されるようになる。
【００３５】
本実施形態にかかるエンジンマウントにあっては、キャビテーションに起因する異音の発生を抑制すべく、オリフィス通路１７内を受圧室１５ａから平衡室１５ｂに向かって流れる液体の流速が所定流速以上となったときに、その流動を制限する弁２０を設けるようにしている。
【００３６】
以下、図３を参照して、この弁２０の構成について詳しく説明する。尚、図３（ａ）は弁２０近傍のオリフィス通路１７を拡大して示す断面図、図３（ｂ）は図３（ａ）におけるｂ‐ｂ線断面図である。
【００３７】
図３（ａ）に示されるように、この弁２０は、オリフィス通路１７内に突出する当接部２１及び弁体２２によって構成されている。図３（ｂ）に示されるように当接部２１は内周側ハット部材１６ｂからオリフィス通路１７内に突出するように延びる板状に形成されている。そして、その先端２１ａと外周側ハット部材１６ａとの間には、液体が流動する隙間が形成されている。一方、ゴム等の弾性材料によって形成される弁体２２は、オリフィス通路１７内において、この当接部２１から液体の流動方向における受圧室側（図３（ｂ）における右側）に離間した部位に設けられている。オリフィス通路１７内に突出するように舌片状に形成された弁体２２は、その基端２２ｂが外周側ハット部材１６ａに加硫接着されている。そして、その先端２２ａと内周側ハット部材１６ｂとの間には、液体が流動する隙間が形成されている。
【００３８】
図３（ａ）に示されるように当接部２１及び弁体２２は、オリフィス通路１７の略全幅に亘って形成されており、当接部２１と弁体２２とを合わせた投影面がオリフィス通路１７の通路断面のほとんどを覆うようになっている。
【００３９】
このようにオリフィス通路１７内に設けられる当接部２１と弁体２２とによって構成される弁２０の作用について、図４を併せ参照して説明する。図４はマウント本体１０に瞬間的に大きな荷重が入力された場合、即ち受圧室１５ａの容積Ｃの変化に伴ってオリフィス通路１７内を流動する液体の流速が所定流速以上の場合における弁２０の動作態様を示す断面図である。尚、図４（ａ）は液体が受圧室１５ａから平衡室１５ｂに向かって流れるときの様子を示す断面図、図４（ｂ）は液体が平衡室１５ｂから受圧室１５ａに向かって流れるときの様子を示す断面図である。
【００４０】
荷重の入力に伴い、まず容積Ｃが減少するように受圧室１５ａが変形し、図４（ａ）に矢印で示されるように液体が受圧室１５ａから平衡室１５ｂに向かってオリフィス通路１７内を流れる場合には、弁体２２が弾性変形してその先端２２ａ側の部分が当接部２１と当接するようになる。その結果、オリフィス通路１７が略閉塞された状態となり、オリフィス通路１７を通じた液体の流動が実質的に禁止されるようになる。
【００４１】
そのあと、受圧室１５ａの容積Ｃが増大し始め、それに伴ってオリフィス通路１７内の液体が受圧室１５ａ内に吸引されるようになると、図４（ｂ）に示されるように弁体２２が当接部２１から離間するように弾性変形する。そのため、当接部２１と弁体２２との隙間を通じて液体が流動するようになり、オリフィス通路１７を通じて平衡室１５ｂから受圧室１５ａに液体が供給されるようになる。
【００４２】
一方、マウント本体１０に入力される荷重が比較的小さい場合、換言すれば受圧室１５ａから平衡室１５ｂに向かって流れる液体の流速が所定流速未満の場合には、弁体２２の剛性により図３（ｂ）に示されるように当接部２１と弁体２２とが離間した状態が維持される。そのため、矢印及び破線矢印で示されるように平衡室１５ｂ側、受圧室１５ａ側双方への液体の流動が許容され、こうした流動の制限は行われない。
【００４３】
尚、上記所定流速、即ち液体の流動を制限する流速値については、受圧室１５ａ内にキャビテーションが発生するような急激な圧力変動が生じるときの液体の流速値に基づいてこれを設定するようにしている。また本実施形態では、弁体２２と当接部２１との距離を調節するとともに、弁体２２の厚さや素材等を変更してその剛性を調節することによりオリフィス通路１７内を受圧室１５ａから平衡室１５ｂに向かって流れる液体の流速が所定流速以上となったときに弁体２２が当接部２１に当接して弁２０が閉塞状態となるようにしている。
【００４４】
以上説明した第１の実施形態によれば、以下の効果が得られるようになる。
（１）マウント本体１０に瞬間的に大きな荷重が入力されたときには、急激に受圧室１５ａの容積Ｃが変化してその内圧が大きく変動するため、この内圧の変動に伴ってオリフィス通路１７を流れる液体の流速が非常に速くなる。そこで、上記第１の実施形態では、受圧室１５ａから平衡室１５ｂに向かってオリフィス通路１７を流れる液体の流速が所定流速以上になったときに、オリフィス通路１７を通じた液体の流動を制限する弁２０を設けるようにしている。これにより、瞬間的に大きな荷重が入力されるのに伴って受圧室１５ａの容積が急激に減少するときには、受圧室１５ａから平衡室１５ｂに向かって流れる液体の流動が制限されるようになる。そのため、そのあと、受圧室１５ａの容積が増大するときにオリフィス通路１７内の液体に作用する慣性力が小さくなり、オリフィス通路１７内の液体が速やかに受圧室１５ａに向かって流動するようになる。その結果、瞬間的に大きな荷重が入力されたときに受圧室１５ａ内に発生する負圧を小さくすることができるようになり、キャビテーションに起因する異音の発生を抑制することができるようになる。
【００４５】
一方、マウント本体１０に入力される荷重が比較的小さい場合、換言すれば受圧室１５ａから平衡室１５ｂに向かって流れる液体の流速が所定流速未満である場合には、こうした制限が行われないため、オリフィス通路１７の流路抵抗によって得られる防振機能を極端に低下させることもない。
【００４６】
（２）上記第１の実施形態では、受圧室１５ａから平衡室１５ｂに向かってオリフィス通路１７を流れる液体の流速が所定流速以上になったときにオリフィス通路１７を閉塞し、液体の流動を実質的に禁止するようにしている。そのため、受圧室１５ａに発生する負圧を極力小さくしてキャビテーションに起因する異音の発生を好適に抑制することができる。
【００４７】
尚、上記第１の実施形態は、これを適宜変更した以下の形態にて実施することもできる。
・内周側ハット部材１６ｂに当接部２１を設け、外周側ハット部材１６ａに弁体２２を設ける構成を示したが、外周側ハット部材１６ａに当接部２１を設け、内周側ハット部材１６ｂに弁体を設ける構成を採用することもできる。
【００４８】
・また内周側ハット部材１６ｂから突出し、その先端２１ａと外周側ハット部材１６ａとの間に流体の流動する隙間を形成する板状の当接部２１を示したが、当接部２１の形状はこうした構成に限定されるものではない。弁体２２が当接部２１から離間した状態にあるときには液体の流動を許容する一方、弁体２２と当接部２１が当接しているときにはオリフィス通路１７を閉塞して液体の流動を禁止することのできる構成であればよい。例えば、オリフィス通路１７を閉塞する仕切板を設け、この仕切板に液体の流動を許容する貫通孔を形成してこの仕切板を当接部とし、弁体２２がこの当接部に当接したときに貫通孔を閉塞することによって液体の流動を禁止するといった構成を採用することもできる。
【００４９】
・上記第１の実施形態では、オリフィス通路１７内を流動する液体の流速が所定流速以上となったときにオリフィス通路１７を閉塞して、液体の流動を実質的に禁止する構成を示した。これに対して、オリフィス通路１７内を受圧室１５ａから平衡室１５ｂに向かって流れる液体の流動を抑制することができれば、そのあと受圧室１５ａの容積Ｃが増大するときに作用する慣性力を小さくし、キャビテーションの発生を抑制することができるようになる。そこで、液体の流動を完全に遮断するものの他、液体の流動を一部制限する構成を採用することもできる。例えば、弁体が弾性変形して当接部に当接した場合であっても液体が流動する隙間が生じるようにオリフィス通路１７の通路断面積よりも小さな弁体及び当接部を形成するといった構成を採用することもできる。
（第２の実施形態）
以下、図５及び図６を参照して第２の実施形態について説明する。本実施形態は第１の実施形態に対してオリフィス通路１７内の液体の流動を制限する弁の構成が異なるものであるため、同様の部材については同一の符号を付すのみとしてその説明を割愛し、両者の相違点である弁の構成を中心に説明する。
【００５０】
図５は第２の実施形態にかかるエンジンマウントの断面構造を示している。図５に示されるように本実施形態のエンジンマウントでは、第１の実施形態においてオリフィス通路１７内に形成されていた弁２０に替えて、受圧室１５ａ内に弁１２０を設けるようにしている。弾性材料によって形成された弁１２０は、オリフィス通路１７の受圧室側開口１６ｃ近傍に板状に形成された弁体１２１と、弁体１２１と区画部材１６との間に柱状に形成された支持部１２２とによって構成されている。
【００５１】
以下、図６を併せ参照して弁１２０の構成をより詳細に説明する。尚、図６（ａ），（ｂ）は、受圧室１５ａ内における弁１２０近傍を拡大して示す斜視図であり、図６（ａ）は開弁状態における弁１２０を、図６（ｂ）は閉弁状態における弁１２０をそれぞれ拡大して示すものである。
【００５２】
図６（ａ）に示されるように、弁体１２１は区画部材１６に形成された受圧室側開口１６ｃと対向するように延び、受圧室側開口１６ｃを覆うように庇状に形成されている。また支持部１２２は、この弁体１２１を区画部材１６から所定の距離だけ離間させるように一対の柱状に形成されており、それぞれ一端が区画部材１６に、他端が弁体１２１に加硫接着されている。そのため、弁体１２１と区画部材１６との間には、液体が流動する隙間が形成されている。
【００５３】
このように形成された弁１２０にあっては、図６（ａ）に矢印で示されるように容積Ｃが減少するように受圧室１５ａが変形する際に弁体１２１と区画部材１６との間の隙間を通じて液体が流動し、受圧室側開口１６ｃからオリフィス通路１７に液体が流入する。
【００５４】
ここで、マウント本体１０に大きな荷重が入力され、それに伴う受圧室１５ａの容積Ｃが急速に減少する場合、即ち受圧室側開口１６ｃを通じてオリフィス通路１７に流入する液体の流速が所定流速以上になる場合には、図６（ｂ）に示されるように弁体１２１が受圧室側開口１６ｃに引き寄せられて弁体１２１及び支持部１２２が弾性変形し、弁体１２１が区画部材１６の受圧室側開口１６ｃの周縁部と密接するようになる。その結果、オリフィス通路１７が閉塞されるようになり、オリフィス通路１７内の液体の流動が禁止されるようになる。尚、一旦弁体１２１が密接して受圧室側開口１６ｃが閉塞されると、容積Ｃが減少するように荷重が作用している間は、受圧室１５ａ内の液体の圧力によって弁体１２１が区画部材１６に押し付けられるため、オリフィス通路１７が閉塞された状態が継続する。
【００５５】
そして、そのあと受圧室１５ａの容積Ｃが増大し始めると、受圧室１５ａの内圧が低下するため、弁体１２１及び支持部１２２の弾性力により弁体１２１は区画部材１６から剥離するようになり、オリフィス通路１７が開放される。その結果、オリフィス通路１７を通じて平衡室１５ｂから受圧室１５ａに向かって液体が流動するようになる。
【００５６】
一方、マウント本体１０に入力される荷重が比較的小さい場合、換言すれば受圧室１５ａの容積Ｃが比較的ゆっくりと減少し、受圧室側開口１６ｃを通じてオリフィス通路１７に流入する液体の流速が所定流速未満である場合には、図６（ａ）に示されるように弁体１２１及び支持部１２２の剛性により、弁体１２１は区画部材１６から離間した状態に維持される。そのため、オリフィス通路１７を通じた平衡室１５ｂ側、受圧室１５ａ側双方への液体の流動が許容され、上記のような流動の制限は行われない。
【００５７】
尚、上記所定流速、即ち液体の流動を制限する流速値については、受圧室１５ａ内にキャビテーションが発生するような急激な圧力変動が生じるときの液体の流速値に基づいてこれを設定するようにしている。本実施形態では、弁体１２１と区画部材１６との距離を調節するとともに、弁体１２１及び支持部１２２の厚さや素材等を変更してその剛性を調節することにより受圧室側開口１６ｃを通じてオリフィス通路１７に流入する液体の流速が所定流速以上となったときに受圧室側開口１６ｃを閉塞してオリフィス通路１７内の液体の流動を禁止するようにしている。
【００５８】
以上説明した第２の実施形態によれば、以下の効果が得られるようになる。
（３）受圧室１５ａ内における受圧室側開口１６ｃ近傍に同受圧室側開口１６ｃと対向するように弾性材料によって板状に形成された弁体１２１を設けるようにしている。そのため、弁体１２１と区画部材１６との隙間を流れ、受圧室側開口１６ｃを通じてオリフィス通路１７に流入する液体の流速が速くなるのに伴って、弁体１２１は受圧室側開口１６ｃに引き寄せられるように弾性変形する。これにより受圧室側開口１６ｃに流入する液体の流速が所定流速以上になると、オリフィス通路１７内の液体の流動が制限されるようになる。その結果、受圧室１５ａから平衡室１５ｂに向かってオリフィス通路１７を流れる液体の流速が所定流速以上になったときに、オリフィス通路１７内の液体の流動を制限することができるようになる。従って、そのあと受圧室１５ａの容積が増大するときにオリフィス通路１７内の液体に作用する慣性力が小さくなり、オリフィス通路１７内の液体が速やかに受圧室１５ａに向かって流動するようになる。その結果、瞬間的に大きな荷重が入力されたときに受圧室１５ａ内に発生する負圧を小さくすることができるようになり、キャビテーションに起因する異音の発生を抑制することができるようになる。
【００５９】
（４）受圧室側開口１６ｃを通じてオリフィス通路１７に流入する液体の流速が所定流速以上になったときに、オリフィス通路１７を閉塞して液体の流動を禁止するようにしているため、受圧室１５ａに発生する負圧を極力小さくしてキャビテーションに起因する異音の発生を好適に抑制することができる。
【００６０】
（５）第１の実施形態では、オリフィス通路１７内に弁２０を設けるため弁体２２の他に当接部２１を別途設ける必要があったが、本実施形態では区画部材１６の受圧室側開口１６ｃの周縁部に弁体１２１を当接させる構成としたことにより、当接部を別途設ける必要がない。そのため、弁の構成の簡素化を図ることができる。
【００６１】
尚、上記第２の実施形態は、これを適宜変更した以下の形態にて実施することもできる。
・上記第２の実施形態では、弁体１２１と区画部材１６との間の隙間を流れ、受圧室側開口１６ｃを通じてオリフィス通路１７に流入する液体の流速が所定流速以上となったときにオリフィス通路１７を閉塞して、液体の流動を禁止する構成を示した。これに対して、オリフィス通路１７内を受圧室１５ａから平衡室１５ｂに向かって流れる液体の流動を抑制することができれば、そのあと受圧室１５ａの容積Ｃが増大するときに作用する慣性力を小さくし、キャビテーションの発生を抑制することができるようになる。そこで、液体の流動を完全に遮断するものの他、液体の流動を一部制限する構成を採用することもできる。例えば、弁体１２１が弾性変形して区画部材１６の受圧室側開口１６ｃの周縁部に当接した場合であっても液体が流動する隙間が生じるように弁体１２１を小さくして受圧室側開口１６ｃの少なくとも一部を覆うようにするといった構成や、弁体１２１に受圧室側開口１６ｃよりも開口面積の小さな制限通路としての貫通孔を設けるといった構成を採用することもできる。また、弁体１２１が受圧室側開口１６ｃの周縁部に完全に当接しないように弁体１２１と区画部材１６との間にスペーサを設けるといった構成を採用することもできる。
【００６２】
・弁体１２１の剛性を調整し、支持部１２２を省略することもできる。即ち受圧室１５ａの容積Ｃが比較的ゆっくりと減少し、受圧室側開口１６ｃを通じてオリフィス通路１７に流入する液体の流速が所定流速未満である場合には、弁体１２１がその剛性のみによって区画部材１６から離間した状態を維持するといった構成を採用することもできる。
（第３の実施形態）
以下、図７及び図８を参照して第３の実施形態について説明する。本実施形態は第１の実施形態に対してオリフィス通路１７内の液体の流動を制限する弁の構成が異なるものであるため、同様の部材については同一の符号を付すのみとしてその説明を割愛し、両者の相違点である弁の構成を中心に説明する。
【００６３】
図７（ａ）はこの弁２２０近傍のオリフィス通路１７を拡大して示す断面図、図７（ｂ）は図（ａ）におけるｂ‐ｂ線断面図である。図７（ｂ）に示されるように本実施形態にかかる弁２２０は、受圧室１５ａとオリフィス通路１７とを区画する外周側ハット部材１６ａに形成された貫通孔１６ｅに挿通されオリフィス通路１７内に変位可能な弁体２２１と、この弁体２２１を受圧室１５ａ内に変位させる方向、即ちオリフィス通路１７の通路断面積Ｓが大きくなる方向に付勢するスプリング２２２とを備えて構成されている。
【００６４】
図７（ａ）及び（ｂ）に示されるように弁体２２１は、受圧室１５ａ内に配設された板状の第１の受圧部２２１ａと、オリフィス通路１７内に配設された板状の第２の受圧部２２１ｂとを有している。そして、この弁２２０は、第１の受圧部２２１ａに作用する圧力と第２の受圧部２２１ｂに作用する圧力との圧力差によって生じる力と、スプリング２２２の付勢力との関係により開閉される。
【００６５】
具体的には、図８に示されるように、マウント本体１０に瞬間的に大きな荷重が作用して容積Ｃが減少する方向に受圧室１５ａが急激に変形する場合には、受圧室１５ａの内圧が急激に上昇し、破線矢印で示されるように第１の受圧部２２１ａに作用する圧力が増大する。またこのとき、受圧室１５ａの圧力上昇に伴ってオリフィス通路１７内を流れる液体の流速は速くなる。オリフィス通路１７内の圧力はこの流速が速くなるほど小さくなるため、第２の受圧部２２１ｂに作用する圧力はこの流速が速くなるほど小さくなる。これにより、第２の受圧部２２１ｂに作用する圧力と、受圧室１５ａの内圧により第１の受圧部２２１ａに作用する圧力との差によって弁体２２１には、オリフィス通路１７内に向かって変位する方向、即ちオリフィス通路１７の通路断面積Ｓを減少させる方向の力が作用する。そして、この力がスプリング２２２の付勢力よりも大きくなると、図８に示されるように弁体２２１は、オリフィス通路１７内に向かって変位し、オリフィス通路１７の通路断面積Ｓを減少させるようになる。
【００６６】
一方、マウント本体１０に入力される荷重が比較的小さい場合には、図７（ｂ）に示されるようにオリフィス通路１７内を流れる液体の流速は比較的遅いため、第１の受圧部２２１ａに作用する受圧室１５ａの内圧と、第２の受圧部２２１ｂに作用する圧力との差はそれほど大きくならない。そのため、スプリング２２２の付勢力により弁体２２１は受圧室１５ａ側に保持された状態に維持されてオリフィス通路１７の通路断面積Ｓが制限されることはない。
【００６７】
尚、上記所定流速、即ち液体の流動を制限する流速値については、受圧室１５ａ内にキャビテーションが発生するような急激な圧力変動が生じるときの液体の流速値に基づいてこれを設定するようにしている。本実施形態では、スプリング２２２のばね定数を調節することにより受圧室側開口１６ｃを通じてオリフィス通路１７に流入する液体の流速が所定流速以上となったときに弁体２２１がオリフィス通路１７内に向かって変位し、液体の流動を制限するようにしている。
【００６８】
以上説明した第３の実施形態によれば、以下の効果が得られるようになる。
（６）第１の受圧部２２１ａと第２の受圧部２２１ｂに作用する圧力の差によって弁体２２１に作用する力がスプリング２２２の付勢力よりも大きくなると、弁体２２１はオリフィス通路１７側に変位してオリフィス通路１７の通路断面積Ｓを減少させるようになる。これにより、受圧室１５ａの内圧上昇に伴ってオリフィス通路１７内を流動する液体の流速が所定流速以上になるときに、その流動を制限することができるようになる。従って、受圧室１５ａの容積が増大し始めたときにオリフィス通路１７内の液体に作用する慣性力を小さくして受圧室１５ａ内に発生する負圧を小さくすることができ、キャビテーションに起因する異音の発生を抑制することができるようになる。
【００６９】
尚、上記第３の実施形態は、これを適宜変更した以下の形態にて実施することもできる。
・弁体２２１を付勢する付勢部材として上記第３の実施形態ではスプリング２２２を採用する構成を示したが、この発明は、こうした構成に限定されるものではない。即ち、付勢部材は、弁体２２１をオリフィス通路１７の通路断面積Ｓが大きくなる方向に付勢するものであればよく、スプリングの他、例えば、ゴム等の弾性部材を採用することもできる。
【００７０】
また、上記第１〜３の実施形態は、これを適宜変更した以下の実施形態にて実施することもできる。
・オリフィス通路内を受圧室１５ａから平衡室１５ｂに向かって流動する液体の流速が所定流速以上になったときに、その流動を制限することのできるものであれば、弁の構成は適宜変更することができる。例えば、オリフィス通路１７内を流動する液体の流速を検出するセンサと、センサによって検出される流速が所定流速以上であることに基づいて電気的に駆動されてオリフィス通路１７を閉塞する電磁弁とを設けるといった構成を採用することもできる。
【００７１】
・上記第１〜３の実施形態では、本発明にかかる液体封入式防振装置を自動車用のエンジンマウントに具体化した例を示したが、この発明は、トランスミッションを車体に連結する防振装置等にも適用することができる。また、その他、自動車用の防振装置に限らず、区画部材で仕切られた受圧室と平衡室とをオリフィス通路によって接続した液体封入式防振装置に広く適用することができる。
【図面の簡単な説明】
【００７２】
【図１】この発明の第１の実施形態にかかるエンジンマウントの断面図。
【図２】（ａ）及び（ｂ）は受圧室の容積の変化とオリフィス通路内の液体変位との関係を示すタイムチャート。
【図３】（ａ）及び（ｂ）は第１の実施形態にかかるエンジンマウントの弁近傍におけるオリフィス通路の断面図。
【図４】（ａ）及び（ｂ）は同実施形態にかかる弁の作動態様を示す断面図。
【図５】この発明の第２の実施形態にかかるエンジンマウントの断面図。
【図６】（ａ）及び（ｂ）は同実施形態にかかるエンジンマウントの弁近傍を拡大して示す斜視図。
【図７】（ａ）及び（ｂ）はこの発明の第３の実施形態にかかるエンジンマウントの弁近傍におけるオリフィス通路の断面図。
【図８】同実施形態にかかる弁の作動態様を示す断面図。
【図９】一般のエンジンマウントの断面図。
【符号の説明】
【００７３】
１０…マウント本体、１１…車体側取付部材、１２…エンジン側取付部材、１３…弾性部材、１４…可撓性膜、１５…液室、１５ａ…受圧室、１５ｂ…平衡室、１６…区画部材、１６ｃ…受圧室側開口、１６ｄ…平衡室側開口、１７…オリフィス通路、２０…弁、２１…当接部、２２…弁体、１２０…弁、１２１…弁体、２２０…弁、２２１…弁体、２２１ａ…第１の受圧部、２２１ｂ…第２の受圧部、２２２…スプリング。
【図１】
2008248967.tif 000003
【図２】
2008248967.tif 000004
【図３】
2008248967.tif 000005
【図４】
2008248967.tif 000006
【図５】
2008248967.tif 000007
【図６】
2008248967.tif 000008
【図７】
2008248967.tif 000009
【図８】
2008248967.tif 000010
【図９】
2008248967.tif 000011